(57)【要約】【課題】  釣用箱に加工を施すことなく確実且つ強固に取り付けることができるようにし、汎用性の向上を図る。【解決手段】  側壁２及び底壁３を有した容器本体１を備えた釣用箱Ｂの側壁２に取り付けられ釣竿Ｒを立設保持する釣竿保持具Ｓにおいて、釣竿Ｒの基部Ｒａを挿抜可能に保持する保持部１０と、保持部１０が設けられ側壁２に着脱可能に取り付けられる取付部２０とを備え、取付部２０を、側壁２の上縁５から差し込まれて側壁２を弾性により挾持可能に形成した。【選択図】図１
2010284105.tif 000002
【特許請求の範囲】
【請求項１】
側壁及び底壁を有した容器本体を備えた釣用箱の当該側壁に取り付けられ釣竿を立設保持する釣竿保持具において、
上記釣竿の基部を挿抜可能に保持する保持部と、該保持部が設けられ上記側壁に着脱可能に取り付けられる取付部とを備え、該取付部を、上記側壁の上縁から差し込まれて該側壁を弾性により挾持可能に形成したことを特徴とする釣竿保持具。
【請求項２】
上記取付部を、上記側壁の外側面に沿い上記保持部が設けられる外側部と、該側壁の内側面に沿う内側部と、上記外側部の上端及び内側部の上端を接続する接続部とを備えて構成し、上記外側部の下端側と内側部の下端側との間の開放部から上記側壁の上縁に差し込み可能にしたことを特徴とする請求項１記載の釣竿保持具。
【請求項３】
上記側壁の外側の高さをＴ１，内側の高さをＴ２とし、上記外側部の上下方向長さをＬ１とし、上記内側部の上下方向長さをＬ２としたとき、上記外側部をＴ１≧Ｌ１≧０．７Ｔ１となるように形成し、上記内側部をＴ２≧Ｌ２≧０．７Ｔ２となるように形成したことを特徴とする請求項２記載の釣竿保持具。
【請求項４】
上記保持部を複数設けたことを特徴とする請求項２または３記載の釣竿保持具。
【請求項５】
上記外側部及び内側部の少なくともいずれか一方に上記側壁に弾接する押え部材を設けたことを特徴とする請求項２乃至４何れかに記載の釣竿保持具。
【請求項６】
上記取付部を一本の連続する棒状部材を折曲形成して構成し、
上記外側部を、所定間隔で並設され上記保持部が夫々設けられる一方外側縦棒及び他方外側縦棒を備えて構成し、
上記内側部を、所定間隔で並設される一方内側縦棒及び他方内側縦棒と、該一方内側縦棒の下端及び他方内側縦棒の下端間に架け渡された内側横棒とを備えて構成し、
上記接続部を、上記一方外側縦棒の上端及び一方内側縦棒の上端間に連接される一方連接棒と、上記他方外側縦棒の上端及び他方内側縦棒の上端間に連接される他方連接棒とを備えて構成したことを特徴とする請求項２乃至５何れかに記載の釣竿保持具。
【請求項７】
上記外側部を、上記一方外側縦棒の下端から内側に折曲形成される一方外側横棒及び上記他方外側縦棒の下端から内側に折曲形成される他方外側横棒を備えて構成し、該一方外側横棒の先端と該他方外側横棒の先端との間に該先端同士を所定距離離間させる空間部を設けたことを特徴とする請求項６記載の釣竿保持具。
【請求項８】
上記外側部に上記側壁に弾接する押え部材を設け、該押え部材を、一端が上記一方外側横棒の先端から挿通されるとともに他端が上記他方外側横棒の先端から挿通される可撓性の弾性パイプ部材で構成したことを特徴とする請求項７記載の釣竿保持具。
【請求項９】
上記一方外側縦棒及び他方外側縦棒の少なくともいずれか一方に上記保持部を複数設け、該隣接する保持部同士を連設杆で連設したことを特徴とする請求項６乃至８何れかに記載の釣竿保持具。
【発明の詳細な説明】
【技術分野】
【０００１】
本発明は、釣竿を組み立てて伸ばした状態で立設保持しておくことのできる釣竿保持具に係り、特に、釣りをする際に用いられる釣道具や餌入れ用のバッカンあるいはクーラーボックス等の容器状の釣用箱に取り付けられる釣竿保持具に関する。
【背景技術】
【０００２】
一般に、釣りをする際には、複数本の釣竿を携行し、状況に合わせてより適した釣竿を選択している。この場合、釣竿を組み立てて伸ばした状態にして、即座に選択できるようにしたいが、使用していない釣竿を地面に横にして置くと、石等で釣竿に傷が付いたり、誤って踏んで釣竿が破損してしまったりするおそれがあり、また、釣竿をケース等に収納してから地面に横にして置くと、使用している釣竿と使用したい釣竿との交換をスムーズに行なうことができない等の問題があった。そのため、従来においては、釣りをする際に用いられる釣道具や餌入れ用のバッカンあるいはクーラーボックス等の容器状の釣用箱を利用し、使用していない釣竿を組み立てて伸ばした状態で立設保持する保持具を用いることを行なっている。
【０００３】
この種の釣竿保持具としては、従来、例えば、特許文献１（実開平６−１９４７４号公報）に記載されたものが知られている。
図９に示すように、この釣竿保持具Ｓａは、側壁２及び底壁３を有した容器本体１と、容器本体１に設けられた蓋４とを備えた釣用箱Ｂに取り付けられ、釣竿Ｒの基部Ｒａを挿抜可能に保持する筒状体１００を備えている。この筒状体１００は、例えば、図９に示すように、面状ファスナ１０１により取り付けられている。この面状ファスナ１０１は、筒状体１００に固定される一方ファスナ１０１ａと、側壁２にビス等で固定される他方ファスナ１０１ｂとからなる。また、螺子により、直接側壁２に固定することも行なわれている。
【先行技術文献】
【特許文献】
【０００４】
【特許文献１】実開平６−１９４７４号公報
【発明の概要】
【発明が解決しようとする課題】
【０００５】
しかしながら、この従来の釣竿保持具Ｓａにおいて、筒状体１００を取り付ける手段が、例えば、面状ファスナ１０１の場合には他方ファスナ１０１ｂをビス等で側壁２に固定し、螺子の場合には側壁２にねじ込むので、釣用箱Ｂに何らかの加工を施さなければならず、そのため、筒状体１００の取り付けが煩雑であり、釣用箱Ｂも傷付けてしまうという問題があった。また、釣用箱Ｂが所謂ソフトタイプといわれる比較的柔らかい素材で形成されたものにおいては、筒状体１００の取り付けが実質的にできないという問題もある。
【０００６】
本発明は、このような問題点に鑑みてなされたもので、釣用箱に加工を施すことなく確実且つ強固に取り付けることができるようにし、汎用性の向上を図った釣竿保持具を提供することを目的とする。
【課題を解決するための手段】
【０００７】
このような目的を達成するため、本発明の釣竿保持具は、側壁及び底壁を有した容器本体を備えた釣用箱の当該側壁に取り付けられ釣竿を立設保持する釣竿保持具において、上記釣竿の基部を挿抜可能に保持する保持部と、該保持部が設けられ上記側壁に着脱可能に取り付けられる取付部とを備え、該取付部を、上記側壁の上縁から差し込まれて該側壁を弾性により挾持可能に形成した構成としている。
【０００８】
これにより、本釣竿保持具を釣用箱に取り付けるときは、取付部を側壁の上縁から差し込んで、その弾性によって側壁を挾持させる。取付部を釣用箱に差し込むだけで取り付けることができるので、釣用箱に加工を施す必要がなく、そのため、釣用箱を傷付けることなく、極めて容易に取り付けることができる。また、取付部は弾性によって側壁を挾持するので、保持部を側壁に対して確実且つ強固に取り付けることができる。更に、差し込むだけなので、釣用箱が所謂ソフトタイプといわれる比較的柔らかい素材で形成されたものにおいても取り付けることが可能であり、そのため、釣用箱の種類を問わず取り付けることができ、汎用性が向上する。
そして、釣竿を立設保持するときは、釣竿を保持部にその基部から挿入する。この場合、挿入するだけで立設保持できるので、作業が極めて簡易に行なわれる。釣竿を交換する際は、使用していない釣竿を保持部から抜脱し、使用していた釣竿を保持部に挿入することにより行なう。
そして、釣りが終了したならば、保持部で保持していた釣竿を抜脱し、その後、本釣竿保持具を釣用箱から取り外す。この場合、取付部を釣用箱の側壁から抜き取れば良い。この際も、取付部を釣用箱から抜き取るだけで良いので、極めて容易に取り外すことができ、そのため、作業性が向上する。
【０００９】
そして、必要に応じ、上記取付部を、上記側壁の外側面に沿い上記保持部が設けられる外側部と、該側壁の内側面に沿う内側部と、上記外側部の上端及び内側部の上端を接続する接続部とを備えて構成し、上記外側部の下端側と内側部の下端側との間の開放部から上記側壁の上縁に差し込み可能にした構成としている。
これにより、取付部を略Ｕ字状のバネ部材で一体に形成できるので、製造が極めて容易に行なわれる。また、側壁に取り付けるときは、取付部を開放部から側壁の上縁に差し込んで、外側部と内側部とで側壁を挾持させる。開放部から差し込むので、より一層取付部の取り付けが容易になる。また、取付部を取り外す際も、開放部から抜き取るだけなので、より一層容易に取り外すことができる。
【００１０】
また、必要に応じ、上記側壁の外側の高さをＴ１，内側の高さをＴ２とし、上記外側部の上下方向長さをＬ１とし、上記内側部の上下方向長さをＬ２としたとき、上記外側部をＴ１≧Ｌ１≧０．７Ｔ１となるように形成し、上記内側部をＴ２≧Ｌ２≧０．７Ｔ２となるように形成した構成としている。
これにより、取付部を開放部から側壁の上縁に差し込んで、接続部が側壁の上縁に当接するまで取付部を押し込むと、外側部及び内側部の上下方向長さが、側壁の外側及び内側の高さに対して、深く差し込まれるようになり、そのため、安定性が向上し、取付部を側壁により一層確実且つ強固に取り付けることができる。
【００１１】
更に、必要に応じ、上記保持部を複数設けた構成としている。
これにより、釣竿を複数本立設保持することができるので、利便性が向上する。
【００１２】
更にまた、必要に応じ、上記外側部及び内側部の少なくともいずれか一方に上記側壁に弾接する押え部材を設けた構成としている。
これにより、取付部をより一層確実且つ強固に取り付けることができる。また、押え部材が側壁に弾接するので、取付部の取り付け後に、取付部が位置ずれする事態を防止することができる。
【００１３】
そして、また、必要に応じ、上記取付部を一本の連続する棒状部材を折曲形成して構成し、上記外側部を、所定間隔で並設され上記保持部が夫々設けられる一方外側縦棒及び他方外側縦棒を備えて構成し、上記内側部を、所定間隔で並設される一方内側縦棒及び他方内側縦棒と、該一方内側縦棒の下端及び他方内側縦棒の下端間に架け渡された内側横棒とを備えて構成し、上記接続部を、上記一方外側縦棒の上端及び一方内側縦棒の上端間に連接される一方連接棒と、上記他方外側縦棒の上端及び他方内側縦棒の上端間に連接される他方連接棒とを備えて構成している。
【００１４】
これにより、取付部を一本の連続する棒状部材を折曲形成してクリップ状に構成したので、極めて製造が容易になる。この場合、取付部を側壁に差し込んで取り付けると、一方外側縦棒及び他方外側縦棒と、一方内側縦棒及び他方内側縦棒，内側横棒とで側壁を挾持するようになる。
【００１５】
また、必要に応じ、上記外側部を、上記一方外側縦棒の下端から内側に折曲形成される一方外側横棒及び上記他方外側縦棒の下端から内側に折曲形成される他方外側横棒を備えて構成し、該一方外側横棒の先端と該他方外側横棒の先端との間に該先端同士を所定距離離間させる空間部を設けた構成としている。
これにより、例えば、取付部を取り付けたい釣用箱の側壁に、釣用箱を持ち運ぶ際に肩に掛けて持つことが可能な、所謂ショルダーベルト等が設けられ、この側壁の外側面にショルダーベルトを固定するための固定部が形成されている場合でも、ショルダーベルトが空間部を通過するようにして取付部を側壁に差し込めば、取付部と固定部との干渉を回避することができ、そのため、取付部を確実且つ強固に釣用箱に取り付けることができる。即ち、釣用箱にショルダーベルトが付いていても確実に本釣竿保持具を取り付けることができるので、汎用性を向上させることができる。
【００１６】
更に、必要に応じ、上記外側部に上記側壁に弾接する押え部材を設け、該押え部材を、一端が上記一方外側横棒の先端から挿通されるとともに他端が上記他方外側横棒の先端から挿通される可撓性の弾性パイプ部材で構成している。
【００１７】
これにより、上記のショルダーベルトが固定された壁部に本保持具を取り付けるときは、先ず、押え部材を一方外側横棒及び他方外側横棒から外し、或いは、押え部材を一方外側横棒または他方外側横棒のいずれか一方側にスライド移動させて空間部を露出させ、それから、ショルダーベルトが空間部を通過するようにして取付部を側壁に差し込み、その後、再び押え部材を一方外側横棒及び他方外側横棒に挿入して行なう。この場合、押え部材を取り外す、或いは、押え部材をスライド移動させるだけで、ショルダーベルトが固定された壁部に取付部を取り付けることができるので、作業性が向上する。また、取り付けた状態では、取付部の弾性のみならず、押え部材によっても側壁を強力に挾持することができるので、取付部をより一層確実且つ強固に取り付けることができる。更に、押え部材が空間部を覆うようになるので、この点でも、取付部をより一層確実且つ強固に取り付けることができる。更にまた、押え部材が側壁に弾接するので、取付部の取り付け後に、取付部が位置ずれする事態を防止することができる。
【００１８】
更にまた、必要に応じ、上記一方外側縦棒及び他方外側縦棒の少なくともいずれか一方に上記保持部を複数設け、該隣接する保持部同士を連設杆で連設した構成としている。
これにより、比較的簡易な構成で保持部を複数設けることができる。
【発明の効果】
【００１９】
本発明の釣竿保持具によれば、取付部を側壁の上縁から差し込んで本釣竿保持具を釣用箱に取り付けると、取付部の弾性によって側壁が挾持されるので、保持部を側壁に対して確実且つ強固に取り付けることができる。また、取付部を釣用箱に差し込むだけで取り付けることができるので、釣用箱に加工を施す必要がなく、そのため、釣用箱を傷付けることなく、極めて容易に取り付けることができる。更に、差し込むだけなので、釣用箱が所謂ソフトタイプといわれる比較的柔らかい素材で形成されたものにおいても取り付けることが可能であり、そのため、釣用箱の種類を問わず取り付けることができ、汎用性が向上する。
【図面の簡単な説明】
【００２０】
【図１】本発明の第一の実施の形態に係る釣竿保持具をその使用状態で示す斜視図である。
【図２】本発明の第一の実施の形態に係る釣竿保持具をその使用状態で示す一部拡大側面断面図である。
【図３】本発明の第一の実施の形態に係る釣竿保持具を示し、（Ａ）は正面図、（Ｂ）は平面図、（Ｃ）は側面図である。
【図４】本発明の第二の実施の形態に係る釣竿保持具を示し、（Ａ）は正面図、（Ｂ）は平面図、（Ｃ）は側面図である。
【図５】本発明の第三の実施の形態に係る釣竿保持具を示し、（Ａ）は正面図、（Ｂ）は平面図、（Ｃ）は側面図である。
【図６】本発明の第四の実施の形態に係る釣竿保持具を示し、（Ａ）は正面図、（Ｂ）は平面図、（Ｃ）は側面図である。
【図７】本発明の第五の実施の形態に係る釣竿保持具を示し、（Ａ）は正面図、（Ｂ）は平面図、（Ｃ）は側面図である。
【図８】本発明の第六の実施の形態に係る釣竿保持具を示し、（Ａ）は正面図、（Ｂ）は平面図、（Ｃ）は側面図である。
【図９】従来の釣竿保持具の一例を示す図である。
【発明を実施するための形態】
【００２１】
以下、添付図面に基づいて本発明の第一の実施の形態に係る釣竿保持具を説明する。尚、上記と同様のものには同一の符号を付して説明する。
図１乃至図３には、本発明の第一の実施の形態に係る釣竿保持具Ｓを示している。本釣竿保持具Ｓは、側壁２及び底壁３を有した容器本体１を備えた釣用箱Ｂの側壁２に取り付けられ、釣竿Ｒを立設保持するものである。本釣竿保持具Ｓが取り付けられる釣用箱Ｂとしては、例えば、釣道具や餌入れ用のバッカンあるいはクーラーボックスがある。図１には、持ち運ぶ際に肩に掛けて持つことが可能な、所謂ショルダーベルト６が設けられた釣用箱Ｂとしてのバッカンを示している。バッカンは、例えば、所謂ソフトタイプといわれる比較的柔らかい素材で形成され、図示外の蓋がファスナを介して着脱可能に設けられている。ショルダーベルト６は、側壁２の外側面２ａに固定部７を介して固定されている。
【００２２】
本釣竿保持具Ｓは、図１乃至図３に示すように、釣竿Ｒの基部Ｒａを挿抜可能に保持する保持部１０と、保持部１０が設けられ側壁２に着脱可能に取り付けられる取付部２０とを備えて構成されている。実施の形態では、保持部１０及び取付部２０は、ステンレス鋼を用いて構成されている。
【００２３】
保持部１０は、断面円形の棒状部材を折曲形成してリング状に形成され、釣竿Ｒの基部Ｒａを２箇所で保持するように、取付部２０の上下方向に一対設けられている。この一対の保持部１０が、取付部２０に２組設けられている。
【００２４】
取付部２０は、一本の連続する断面円形の棒状部材を折曲形成して構成されており、側壁２の上縁５から差し込まれて側壁２を弾性により挾持可能に形成されている。詳しくは、側壁２の外側面２ａに沿い保持部１０が設けられる外側部３０と、側壁２の内側面２ｂに沿う内側部４０と、外側部３０の上端及び内側部４０の上端を接続する接続部５０とを備えて構成され、外側部３０の下端側と内側部４０の下端側との間の開放部２１から側壁２の上縁５に差し込み可能に形成されている。
【００２５】
外側部３０は、所定間隔で並設され保持部１０が夫々設けられる一方外側縦棒３１及び他方外側縦棒３２と、一方外側縦棒３１の下端３１ａから内側に折曲形成される一方外側横棒３３及び他方外側縦棒３２の下端３２ａから内側に折曲形成される他方外側横棒３４とを備えて構成されている。この一方外側縦棒３１及び他方外側縦棒３２には、所定間隔で設けられた一対の保持部１０が夫々設けられている。また、一方外側横棒３３の先端３３ａと他方外側横棒３４の先端３４ａとの間には、先端３３ａ，３４ａ同士を所定距離離間させる空間部３５が設けられている。この外側部３０は、その上下方向長さ（一方外側縦棒３１及び他方外側縦棒３２の上下方向長さ）をＬ１とし、側壁２の外側の高さをＴ１としたとき、Ｔ１≧Ｌ１≧０．７Ｔ１となるように形成されている。実施の形態では、Ｌ１＝０．８Ｔ１となるように形成されている。
【００２６】
内側部４０は、所定間隔で並設される一方内側縦棒４１及び他方内側縦棒４２と、一方内側縦棒４１の下端４１ａ及び他方内側縦棒４２の下端４２ａ間に架け渡された内側横棒４３とを備えて構成されている。この内側部４０は、その上下方向長さ（一方内側縦棒４１及び他方内側縦棒４２の上下方向長さ）をＬ２とし、側壁２の内側の高さをＴ２としたとき、Ｔ２≧Ｌ２≧０．７Ｔ２となるように形成されている。実施の形態では、Ｌ２＝０．９Ｔ２となるように形成されている。
【００２７】
接続部５０は、一方外側縦棒３１の上端３１ｂ及び一方内側縦棒４１の上端４１ｂ間に連接される一方連接棒５１と、他方外側縦棒３２の上端３２ｂ及び他方内側縦棒４２の上端４２ｂ間に連接される他方連接棒５２とを備えて構成されている。
【００２８】
また、この取付部２０には、外側部３０及び内側部４０の少なくともいずれか一方に側壁２に弾接する押え部材６０が設けられている。この押え部材６０は、実施の形態では、外側部３０に設けられ、一端６０ａが一方外側横棒３３の先端３３ａから挿通されるとともに他端６０ｂが他方外側横棒３４の先端３４ａから挿通される可撓性の弾性パイプ部材で構成されている。詳しくは、一方外側横棒３３及び他方外側横棒３４に挿通される筒状のゴムパイプ６１と、このゴムパイプ６１の外周面に付着される樹脂パイプ６２とで構成されている。
【００２９】
従って、この第一の実施の形態に係る釣竿保持具Ｓを釣用箱Ｂに取り付けるときは、先ず、釣用箱Ｂの蓋を開け、取付部２０を釣用箱Ｂに取り付ける。詳しくは、取付部２０を開放部２１から釣用箱Ｂの側壁２の上縁５に差し込んで、その弾性によって側壁２を挾持させる。側壁２の厚さが開放部２１よりも厚く形成されている場合には、一方外側縦棒３１及び他方外側縦棒３２と、一方内側縦棒４１及び他方内側縦棒４２とを側壁２の厚さ方向に引張し、開放部２１を弾性変形する範囲で拡開させて側壁２に差し込む。このとき、側壁２には、ショルダーベルト６を固定する固定部７が設けられているので、予め押え部材６０を一方外側横棒３３及び他方外側横棒３４から取り外して空間部３５を露出させ、この状態で、ショルダーベルト６が空間部５を通過するようにして取付部２０を側壁２に差し込めば、取付部２０と固定部７との干渉を回避することができる。
尚、ショルダーベルト６が空間部５を通過するようにして取付部２０を側壁２に差し込んでも取付部２０と固定部７との干渉を回避できないような釣用箱Ｂに取付ける場合には、一方外側縦棒３１と他方外側縦棒３２とを外側に引張し、空間部３５を弾性変形する範囲で拡開させ、この状態で固定部７が空間部３５を通過するように差し込めば良い。固定部７の通過後は、引張解除することにより、一方外側縦棒３１と他方外側縦棒３２とは、その弾性力によって所定間隔に並列するようになる。
【００３０】
これによって、取付部２０を釣用箱Ｂに差し込むだけで取り付けることができるので、釣用箱Ｂに加工を施す必要がなく、そのため、釣用箱Ｂを傷付けることなく、極めて容易に取り付けることができる。また、開放部２１から差し込むだけなので、極めて容易に取付部２０を取り付けることができる。更に、取付部２０は弾性によって側壁２を挾持するので、保持部１０を側壁２に対して確実且つ強固に取り付けることができる。
また、本釣竿保持具Ｓは、側壁２に差し込むだけで取り付けることができるので、釣用箱Ｂが所謂ソフトタイプといわれる比較的柔らかい素材で形成されたものにおいても取り付けることが可能であり、そのため、釣用箱Ｂの種類を問わず取り付けることができ、汎用性が向上する。また、釣用箱Ｂにショルダーベルト６が付いていても確実に本釣竿保持具Ｓを取り付けることができるので、この点でも、汎用性が向上する。
【００３１】
そして、接続部５０が側壁２の上縁５に当接するまで取付部２０を押し込む。外側部３０の上下方向長さＬ１が側壁２の外側の高さＴ１に対して深く差し込まれるようになるとともに、内側部４０の上下方向長さＬ２が側壁２の内側の高さＴ２に対して深く差し込まれるようになるので、安定性が向上し、取付部２０を側壁２により一層確実且つ強固に取り付けることができる。
【００３２】
次に、外側部３０に押え部材６０を取り付け、取付部２０の外側部３０と内側部４０との弾性及び押え部材６０の弾接によって側壁２を挾持させる。詳しくは、押え部材６０の一端６０ａを一方外側横棒３３の先端３３ａから挿通させるとともに他端６０ｂを他方外側横棒３４の先端３４ａから挿通させて、押え部材６０で空間部３５を覆うように取り付ける。押え部材６０は、可撓性部材で構成されているので、比較的容易に取り付けることができる。この押え部材６０を取り付けた状態では、取付部２０の外側部３０と内側部４０との弾性のみならず、押え部材６０によっても側壁２を強力に挾持することができるので、取付部２０をより一層確実且つ強固に取り付けることができる。また、押え部材６０が空間部３５を覆うようになるので、この点でも、取付部２０をより一層確実且つ強固に取り付けることができる。更に、押え部材６０が側壁２に弾接するので、取付部２０の取り付け後に、取付部２０が位置ずれする事態を防止することができる。この場合、釣用箱Ｂにショルダーベルト６が付いていても、押え部材６０を取り外すだけでショルダーベルト６が固定された壁部に取付部２０を取り付けることができるので、作業性が向上する。
【００３３】
尚、取付部２０の取り付け方法としては、上記に限定されるものではなく、例えば、押え部材６０を予め一方外側横棒３３及び他方外側横棒３４に挿通させて空間部３５を覆うように取り付けておき、釣用箱Ｂの側壁２にショルダーベルト６及び固定部７が設けられている場合には、押え部材６０を一方外側横棒３３または他方外側横棒３４のいずれか一方側にスライド移動させて空間部３５を露出させ、それから、ショルダーベルト６が空間部３５を通過するように取付部２０を差し込み、その後、押え部材６０をスライド移動させて空間部３５を覆うように位置させても良い。この場合、釣用箱Ｂにショルダーベルト６が付いていても、押え部材６０をスライド移動させるだけでショルダーベルト６が固定された壁部に取付部２０を取り付けることができるので、作業性が向上する。
【００３４】
そして、釣竿Ｒを立設保持するときは、釣竿Ｒを保持部１０にその基部Ｒａから挿入する。この場合、挿入するだけで立設保持できるので、作業が極めて簡易に行なわれる。釣竿Ｒを交換する際は、使用していない釣竿Ｒを保持部１０から抜脱し、使用していた釣竿Ｒを保持部１０に挿入することにより行なう。この際、釣竿Ｒを組み立てて伸ばした状態で立設保持させておき、また、この釣竿Ｒにリール等を取り付けた状態にしておくと、交換した釣竿Ｒを即座に使用することができる。尚、この場合、釣用箱Ｂがソフトタイプのバッカンであるので、蓋を被せた状態にしておくことができる。
【００３５】
また、本第一の実施の形態に係る釣竿保持具Ｓは、一対の保持部１０が一方外側縦棒３１及び他方外側縦棒３２に夫々設けられているので、２本の釣竿Ｒを立設保持することが可能であり、そのため、利便性が向上する。
【００３６】
そして、釣りが終了したならば、保持部１０で保持していた釣竿Ｒを保持部１０から抜脱し、その後、本釣竿保持具Ｓを釣用箱Ｂから取り外す。この場合、取付部２０を釣用箱Ｂの側壁２から抜き取れば良い。この際も、開放部２１から抜き取るだけなので、極めて容易に取り外すことができ、そのため、作業性が向上する。また、本釣竿保持具Ｓは、取り外した後に釣用箱Ｂに収納することが可能であり、それだけ、運搬性が向上する。
【００３７】
また、本第一の実施の形態に係る釣竿保持具Ｓは、取付部２０を一本の連続する棒状部材を折曲形成してクリップ状に構成したので、製造が極めて容易になる。更に、取付部２０及び保持部１０はステンレス鋼を用いて構成されているので、錆難く、防臭性に優れている。即ち、海水などが付着しても錆難く、餌やコマセ等による臭いも付かないので、釣りを行なう際の道具として最適である。
【００３８】
図４には、本発明の第二の実施の形態に係る釣竿保持具Ｓを示している。本第二の実施の形態に係る釣竿保持具Ｓは、上記第一の実施の形態と同様の取付部２０で構成され、一方外側縦棒３１及び他方外側縦棒３２の少なくともいずれか一方に上記第一の実施の形態と同様の保持部１０が複数設けられ、隣接する保持部１０同士がステンレスからなる連設杆１１で連設されている。本第二の実施の形態では、一方外側縦棒３１に一対の保持部１０が２組設けられている。詳しくは、一方外側縦棒３１に所定間隔で設けられた一対のリング状の保持部１０から、夫々水平方向に延びて連設杆１１が設けられ、この一対の連設杆１１に夫々リング状の保持部１０が設けられている。また、連設杆１１で連設された保持部１０は、一方外側縦棒３１に設けられた保持部１０と他方外側縦棒３２に設けられた保持部１０との中間に位置されている。
【００３９】
これによって、比較的簡易な構成で保持部１０を複数設けることができる。また、保持部１０が等間隔で設けられるようになるので、保持部１０に釣竿Ｒを立設保持させた際のバランスが良くなる。
その他の作用，効果は上記第一の実施の形態と同様である。
【００４０】
図５には、本発明の第三の実施の形態に係る釣竿保持具Ｓを示している。本第三の実施の形態に係る釣竿保持具Ｓは、上記第一及び第二の実施の形態と同様の取付部２０で構成され、一方外側縦棒３１及び他方外側縦棒３２に夫々上記第一及び第二の実施の形態と同様の保持部１０が複数連設されて設けられている。本第三の実施の形態では、一方外側縦棒３１及び他方外側縦棒３２夫々に一対の保持部１０が２組ずつ設けられている。詳しくは、一方外側縦棒３１に所定間隔で設けられた一対のリング状の保持部１０から夫々水平方向内側にリング状の保持部１０が連設され、他方外側縦棒３２に所定間隔で設けられた一対のリング状の保持部１０から夫々水平方向内側にリング状の保持部１０が連設されている。
【００４１】
これによって、比較的簡易な構成で保持部１０を複数設けることができる。また、保持部１０が取付部２０の中心から左右対称に設けられるようになるので、保持部１０に釣竿Ｒを立設保持させた際のバランスが良くなる。
その他の作用，効果は上記第一及び第二の実施の形態と同様である。
【００４２】
図６には、本発明の第四の実施の形態に係る釣竿保持具Ｓを示している。本第四の実施の形態に係る釣竿保持具Ｓは、上記第一乃至第三の実施の形態と同様の保持部１０と、保持部１０が設けられ側壁２に着脱可能に取り付けられる取付部２０を備えて構成されている。この取付部２０は、断面円形のステンレス鋼の棒状部材を用いて構成され、上記第一乃至第三の実施の形態とは異なって、外側部３０が、側壁２の外側面２ａに沿い上下方向に延びる一本の外側縦棒材３６と、外側縦棒材３６の下端３６ａに設けられる一本の外側横棒材３７とを備えて構成され、内側部４０が、側壁２の内側面２ｂに沿い上下方向に延びる一本の内側縦棒材４４と、内側縦棒材４４の下端４４ａに設けられる一本の内側横棒材４５とを備えて構成され、接続部５０が、外側縦棒材３６の上端３６ｂ及び内側縦棒材４４の上端４４ｂ間に連接される連接棒材５３で構成されている。
また、外側縦棒材３６，内側縦棒材４４及び連接棒材５３は、一本の連続する棒状部材を折曲形成して構成されている。
【００４３】
また、外側横棒材３７には、側壁２に弾接する押え部材６０が設けられている。この押え部材６０は、第四の実施の形態では、外側横棒材３７の一端３７ａから挿通され外側縦棒材３６で衝止される一端側押え部材６３と、外側横棒材３７の他端３７ｂから挿通され外側縦棒材３６で衝止される他端側押え部材６４とで構成されている。詳しくは、一端側押え部材６３及び他端側押え部材６４は、可撓性の弾性パイプ部材で構成され、外側横棒材３７に挿通される筒状のゴムパイプ６５と、このゴムパイプ６５の外周面に付着される樹脂パイプ６６とで構成されている。
【００４４】
従って、この第四の実施の形態に係る釣竿保持具Ｓを釣用箱Ｂに取り付けるときは、一端側押え部材６３及び他端側押え部材６４を取付部２０に取り付けた状態で、取付部２０を開放部２１から釣用箱Ｂの側壁２の上縁５に差し込み、接続部５０が側壁２の上縁５に当接するまで取付部２０を押し込んで、取付部２０の外側部３０と内側部４０との弾性及び押え部材６０の弾接によって側壁２を挾持させる。本第四の実施の形態に係る釣竿保持具Ｓは、上記第一乃至第三の実施の形態とは異なり、取付部２０の左右方向の長さが短く形成されているので、ショルダーベルト６が設けられた釣用箱Ｂに取付部２０を取り付ける場合でも、ショルダーベルト６及び固定部７のない壁部を選択して、取付部２０を確実且つ強固に取り付けることができるので、汎用性が向上する。
その他の作用，効果は上記第一乃至第三の実施の形態と同様である。
【００４５】
図７には、本発明の第五の実施の形態に係る釣竿保持具Ｓを示している。本第五の実施の形態に係る釣竿保持具Ｓは、上記第一乃至第四の実施の形態と同様の保持部１０と、保持部１０が設けられ側壁２に着脱可能に取り付けられる取付部２０を備えて構成されている。この取付部２０は、ステンレス鋼を用いて断面矩形で扁平状の一本の連続する棒状部材を折曲形成して構成され、上記第一乃至第四の実施の形態とは異なって、外側部３０が、側壁２の外側面２ａに沿い上下方向に延びる一本の外側縦棒状材３８で構成され、内側部４０が、側壁２の内側面２ｂに沿い上下方向に延びる一本の内側縦棒状材４６で構成され、接続部５０が、外側縦棒状材３８の上端３８ａ及び内側縦棒状材４６の上端４６ａ間に連接される連接棒状材５４で構成されている。
【００４６】
従って、この第五の実施の形態に係る釣竿保持具Ｓを釣用箱Ｂに取り付けるときは、取付部２０を開放部２１から釣用箱Ｂの側壁２の上縁５に差し込み、接続部５０が側壁２の上縁５に当接するまで取付部２０を押し込んで、取付部２０の外側部３０と内側部４０との弾性によって側壁２を挾持させる。取付部２０は扁平状の棒状部材なので、外側縦棒状材３８が側壁２の外側面２ａに当接する面積が大きくなり、また、内側縦棒状材４６が側壁２の内側面２ｂに当接する面積が大きくなり、そのため、取付部２０が側壁２に確実且つ強固に取り付けられるようになる。
その他の作用，効果は上記第一乃至第四の実施の形態と同様である。
【００４７】
図８には、本発明の第六の実施の形態に係る釣竿保持具Ｓを示している。本第六の実施の形態に係る釣竿保持具Ｓは、釣竿Ｒの基部Ｒａを挿抜可能に保持する保持部１０と、上記第一乃至第三の実施の形態と同様の取付部２０とを備えて構成されている。
保持部１０は、上下開放の筒状に形成され、一方外側縦棒３１及び他方外側縦棒３２に夫々設けられている。
その他の構成，作用，効果は、上記第一の実施の形態と同様である。
【００４８】
尚、上記第三の実施の形態において、一対のリング状の保持部１０から夫々水平方向内側にリング状の保持部１０を連設して一対の保持部１０を４組設けたが、必ずしもこれに限定されるものではなく、上記第二の実施の形態の如く、隣接する保持部１０同士を連設杆１１で連設しても良く、適宜変更して差支えない。
また、釣用箱Ｂとしては、上述した所謂ソフトタイプといわれるバッカンに限定されるものではなく、所謂ハードタイプといわれる比較的硬い素材で形成されたバッカンやクーラーボックス等どのような箱であっても良い。
【符号の説明】
【００４９】
Ｓ  釣竿保持具
Ｒ  釣竿
Ｒａ  基部
Ｂ  釣用箱
１  容器本体
２  側壁
３  底壁
５  上縁
６  ショルダーベルト
７  固定部
１０  保持部
２０  取付部
２１  開放部
３０  外側部
３１  一方外側縦棒
３２  他方外側縦棒
３３  一方外側横棒
３４  他方外側横棒
３５  空間部
４０  内側部
４１  一方内側縦棒
４２  他方内側縦棒
４３  内側横棒
５０  接続部
５１  一方連接棒
５２  他方連接棒
６０  押え部材
６１  ゴムパイプ
６２  樹脂パイプ
【図１】
2010284105.tif 000003
【図２】
2010284105.tif 000004
【図３】
2010284105.tif 000005
【図４】
2010284105.tif 000006
【図５】
2010284105.tif 000007
【図６】
2010284105.tif 000008
【図７】
2010284105.tif 000009
【図８】
2010284105.tif 000010
【図９】
2010284105.tif 000011